【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
記憶部に格納されている、文書の属性データを含む、複数の文書データに含まれる単語間の関連性を表示する表示装置による表示方法であって、
前記表示装置が、
前記文書データに含まれる単語間の関連度を算出し、
前記算出した関連度に対応した距離に前記単語に関する情報を配置した単語間ネットワークを生成し、
前記単語間ネットワークにおいて、前記関連度が所定の度合い以上の単語に関する情報間を結ぶ線を表示し、前記関連度が所定の度合い未満の単語に関する情報間を結ぶ線を表示しないことによって、前記単語間ネットワークから、単語間系統図を生成し、
前記生成した単語間系統図を表示部に表示させる
ことを特徴とする表示方法。
【請求項２】
前記表示装置が、
前記単語間ネットワークから、任意の単語である第１の単語を選択し、
前記選択した単語との関連度が最も高い単語である第２の単語を選択し、
選択されていない単語のうち、前記第１の単語および前記第２の単語の少なくとも一方との関連度が、他の選択されていない単語より高い単語を第３の単語として選択し、
選択されていない単語のうち、前記第１の単語、前記第２の単語および前記第３の単語の少なくとも１つとの関連度が、他の選択されていない単語より高い単語を第４の単語として選択することを、所定の第ｎ（ｎ＝２，３・・・）の単語が選択されるまで繰り返し、
前記選択された単語を前記関連度が所定の度合い以上の単語として、前記単語間系統図を生成する
ことを特徴とする請求項１に記載の表示方法。
【請求項３】
前記表示装置が、
前記表示部に表示されている単語に関する情報および線が、入力部を介して選択入力されると、当該単語に関する情報および線を非表示とする
ことを特徴とする請求項２に記載の表示方法。
【請求項４】
前記非表示とは、
前記表示装置が、
前記選択入力された単語に関する情報および線を削除することである
ことを特徴とする請求項３に記載の表示方法。
【請求項５】
前記表示装置が、
前記単語に関する情報に関連付けた円を表示する
ことを特徴とする請求項２に記載の表示方法。
【請求項６】
前記表示装置が、
入力部を介して選択された前記単語に関する情報を表示画面の中央に表示させ、
異なる前記文書データから得られた複数の前記単語間系統図を、１つの単語間系統図に統合して表示する
ことを特徴とする請求項２に記載の表示方法。
【請求項７】
前記単語で示す内容が関連している時間に関する情報が前記記憶部に記憶されており、
前記表示装置が、
前記単語に関する情報が記述されているラベルを生成して表示し、
前記ラベルの長さを、前記ラベル内に表示されている単語で示す内容が関連している時間に比例した長さとする
ことを特徴とする請求項４から請求項６のいずれか一項に記載の表示方法。
【請求項８】
請求項１から請求項７のいずれか一項に記載の表示方法をコンピュータに実行させることを特徴とするプログラム。
【請求項９】
記憶部に格納されている、文書の属性データを含む、複数の文書データに含まれる単語間の関連性を表示する表示装置であって、
前記文書データに含まれる単語間の関連度を算出する関連度算出部と、
前記算出した関連度に対応した距離に前記単語に関する情報を配置した単語間ネットワークを生成する単語間ネットワーク生成部と、
前記単語間ネットワークにおいて、前記関連度が所定の度合い以上の単語に関する情報間を結ぶ線を表示し、前記関連度が所定の度合い未満の単語に関する情報間を結ぶ線を表示しないことによって、前記単語間ネットワークから、単語間系統図を生成する単語間系統図生成部と、
前記生成した単語間系統図を表示部に表示させる表示処理部と、
を有することを特徴とする表示装置。
【請求項１０】
前記単語間系統図生成部は、
前記単語間ネットワークから、任意の単語である第１の単語を選択し、
前記選択した単語との関連度が最も高い単語である第２の単語を選択し、
選択されていない単語のうち、前記第１の単語および前記第２の単語の少なくとも一方との関連度が、他の選択されていない単語より高い単語を第３の単語として選択し、
選択されていない単語のうち、前記第１の単語、前記第２の単語および前記第３の単語の少なくとも１つとの関連度が、他の選択されていない単語より高い単語を第４の単語として選択することを、所定の第ｎ（ｎ＝２，３・・・）の単語が選択されるまで繰り返し、
前記選択された単語を前記関連度が所定の度合い以上の単語として、前記単語間系統図を生成する
ことを特徴とする請求項９に記載の表示装置。
【請求項１１】
前記表示処理部は、
前記表示部に表示されている単語に関する情報および線が、入力部を介して選択入力されると、当該単語に関する情報および線を非表示とする
ことを特徴とする請求項１０に記載の表示装置。
【請求項１２】
前記非表示とは、
前記表示処理部が、前記選択入力された単語に関する情報および線を削除することである
ことを特徴とする請求項１１に記載の表示装置。
【請求項１３】
前記表示処理部は、
前記単語に関連する情報に関連付けた円を表示する
ことを特徴とする請求項１０に記載の表示装置。
【請求項１４】
前記表示処理部は、
前記入力部を介して選択された単語に関連する情報を表示画面の中央に表示させ、
前記単語間系統図を再生成する
ことを特徴とする請求項１３に記載の表示装置。
【請求項１５】
前記表示処理部は、
入力部を介して選択された前記単語に関連する情報を表示画面の中央に表示させ、
異なる前記文書データから得られた複数の前記単語間系統図を、１つの単語間系統図に統合して表示する
ことを特徴とする請求項１０に記載の表示装置
【請求項１６】
前記関連度に対応した距離とは、前記関連度に比例する距離である
ことを特徴とする請求項１２、請求項１４または請求項１５に記載の表示装置。
【請求項１７】
前記表示処理部は、
前記単語に関連する情報に関連付けた円を表示し、
前記円を、該当する前記単語に関連する任意の値で強調表示する
ことを特徴とする請求項１６に記載の表示装置。
【請求項１８】
前記単語で示す内容が関連している時間に関する情報が前記記憶部に記憶されており、
前記表示処理部は、
前記単語に関する情報が記述されているラベルを生成して表示し、
前記ラベルの長さを、前記ラベル内に表示されている単語で示す内容が関連している時間に比例した長さとする
ことを特徴とする請求項１７に記載の表示装置。
【手続補正２】
【補正対象書類名】明細書
【補正対象項目名】発明の名称
【補正方法】変更
【補正の内容】
【発明の名称】表示方法、プログラムおよび表示装置
【手続補正３】
【補正対象書類名】明細書
【補正対象項目名】０００７
【補正方法】変更
【補正の内容】
【０００７】
前記課題を解決するため、本発明は、記憶部に格納されている、文書の属性データを含む、複数の文書データに含まれる単語間の関連性を表示する表示装置であって、前記文書データに含まれる単語間の関連度を算出する関連度算出部と、前記算出した関連度に対応した距離に単語に関する情報を配置した単語間ネットワークを生成する単語間ネットワーク生成部と、前記単語間ネットワークにおいて、前記関連度が所定の度合い以上の単語に関する情報間を結ぶ線を表示し、前記関連度が所定の度合い未満の単語に関する情報間を結ぶ線を表示しないことによって、前記単語間ネットワークから、単語間系統図を生成する単語間系統図生成部と、前記生成した単語間系統図を表示部に表示させる表示処理部と、を有することを特徴とする